(57)【要約】  画像を表示するディスプレイ本体の厚さがスリム化されたディスプレイ装置を開示する。これは、主要部品である電源ボード及びメインボードをベース部に配置し、ディスプレイモジュールに装着された駆動ボードが、電源ボード及びメインボードと連結されて、ディスプレイモジュールに電源を供給し、制御信号を送受信することによって可能になる。そして、ベース部は、ディスプレイ本体をその下部で支持するスタンドの役割をしたり、またはディスプレイ本体の後面に固定されて、ディスプレイ装置を壁に固定させる場合に媒介の役割をしたりする。このようなベース部の配置位置の変更のために、ディスプレイ本体とベース部とを連結させる連結部が設けられる。連結部は、ディスプレイ本体及びベース部に対して回転可能に設けられる。
2013505660.tif 000002
【特許請求の範囲】
【請求項１】
画像を形成するディスプレイモジュールと、前記ディスプレイモジュールの後面に装着される駆動ボードを含むディスプレイ本体と、
前記ディスプレイ本体を覆うカバー部と、
前記ディスプレイ本体に電源を供給する電源ボード（ｓｗｉｔｃｈｉｎｇ  ｍｏｄｅ  ｐｏｗｅｒ  ｓｕｐｐｌｙ：ＳＭＰＳ）及び前記ディスプレイ本体を制御し、外部で入力される映像信号を供給するためのメインボード（Ｍａｉｎ  Ｂｏａｒｄ）を内蔵するベース（Ｂａｓｅ）部と、
前記カバーとベース部とを連結させる連結部と、を含み、
前記駆動ボードは、前記電源ボード及びメインボードと電気的に連結され、前記電源ボードは、前記駆動ボードを通じて前記ディスプレイ本体に電源を供給し、前記メインボードは、前記駆動ボードを通じて前記ディスプレイモジュールを制御することを特徴とする、ディスプレイ装置。
【請求項２】
前記ディスプレイモジュールは、液晶を用いて画像を表す表示パネルと、前記表示パネルに光を照射するバックライトアセンブリ（Ｂａｃｋ  Ｌｉｇｈｔ  Ａｓｓｅｍｂｌｙ）とを含み、
前記駆動ボードは、前記電源ボードから電源の供給を受け、前記バックライトアセンブリに供給することを特徴とする、請求項１に記載のディスプレイ装置。
【請求項３】
前記表示パネルは、画像を具現する複数個のパネル駆動チップを含み、
前記駆動ボードは、前記メインボードから映像信号を受け、前記複数個のパネル駆動チップを制御するタイミングコントローラ（Ｔｉｍｉｎｇ  Ｃｏｎｔｒｏｌｌｅｒ、Ｔ−Ｃｏｎ）を含むことを特徴とする、請求項２に記載のディスプレイ装置。
【請求項４】
前記駆動ボードと前記ベース部とを電気的に連結させ、前記連結部の内部を通過するように配置されたケーブル部をさらに含んでなることを特徴とする、請求項１に記載のディスプレイ装置。
【請求項５】
前記ケーブル部は、
前記ベース部において前記メインボード及び前記電源ボードと連結するための第１コネクタと、
前記駆動ボードと連結するための第２コネクタと、
前記第１コネクタと前記第２コネクタとを連結するケーブルとからなり、
前記連結部は、板状の連結プレート（ｐｌａｔｅ）をさらに含んでなり、前記ケーブルは、前記連結プレートによって支持されることを特徴とする、請求項４に記載のディスプレイ装置。
【請求項６】
前記連結プレートは、前記ケーブルの動きを防止するケーブルガイドをさらに含むことを特徴とする、請求項５に記載のディスプレイ装置。
【請求項７】
前記ベース部が前記カバー部の下部で前記カバー部を支持する第１位置状態と、前記ベース部が前記カバー部の後面に固定される第２位置状態とに配置位置が変更可能なように設けられることを特徴とする、請求項５に記載のディスプレイ装置。
【請求項８】
前記ディスプレイ装置は、前記第１位置状態を維持するために結合されるネック（ｎｅｃｋ）カバーをさらに含むことを特徴とする、請求項７に記載のディスプレイ装置。
【請求項９】
前記ディスプレイ装置は、前記第１位置状態から、前記ネックカバーを分離し、前記連結部をフォールディング（ｆｏｌｄｉｎｇ）して、前記ディスプレイ本体と前記連結部と前記ベースとが平行に位置するように、前記ベース部を前記カバー部の後面に固定させることによって、前記第２位置状態に前記配置位置が変更されることを特徴とする、請求項８に記載のディスプレイ装置。
【請求項１０】
前記ディスプレイ本体には本体ブラケットをさらに含んでなり、
前記ベース部にはベースブラケットをさらに含んでなり、
前記カバー部と前記連結部が互いに回転可能なように、前記本体ブラケットと前記連結プレートの一端とを回動可能なように連結させる第１ヒンジ部と、
前記ベース部と前記連結部が互いに回転可能なように、前記ベースブラケットと前記連結プレートの他端とを回動可能なように連結させる第２ヒンジ部と、を含むことを特徴とする、請求項８に記載のディスプレイ装置。
【請求項１１】
前記第２コネクタは、前記駆動ボードの後面において結合されることを特徴とする、請求項５に記載のディスプレイ装置。
【請求項１２】
前記ベース部は、前記メインボードから受信される音信号を出力するためのスピーカーを少なくとも一つ以上さらに含むことを特徴とする、請求項１に記載のディスプレイ装置。
【請求項１３】
前記連結部は、前記第１ヒンジ部、第２ヒンジ部及び連結プレートの前面を覆う前面プレートカバーと、前記第１ヒンジ部、第２ヒンジ部及び連結プレートの後面を覆う背面プレートカバーとを含むことを特徴とする、請求項１０に記載のディスプレイ装置。
【請求項１４】
前記ネックカバーは、前記連結部、カバー部及びベース部の一部を覆うことを特徴とする、請求項８に記載のディスプレイ装置。
【請求項１５】
前記ベース部は、前記第２位置状態で、ねじ結合によって前記カバー部の後面に固定されることを特徴とする、請求項７に記載のディスプレイ装置。
【請求項１６】
前記電源ボードは、外部電源ケーブルが連結される電源端子部をさらに含んでなり、
前記メインボードは、外部信号源と連結される複数の入力信号端子部をさらに含んでなることを特徴とする、請求項１に記載のディスプレイ装置。
【請求項１７】
画像を形成するディスプレイモジュールと、前記ディスプレイモジュールの後面に装着される駆動ボードを含むディスプレイ本体と、
前記ディスプレイ本体を覆うカバー部と、
前記ディスプレイ本体に電源を供給する電源ボード（ｓｗｉｔｃｈｉｎｇ  ｍｏｄｅ  ｐｏｗｅｒ  ｓｕｐｐｌｙ：ＳＭＰＳ）及び前記ディスプレイ本体を制御するメインボード（Ｍａｉｎ  Ｂｏａｒｄ）を含み、前記カバー部の外部に配置されるベース（ｂａｓｅ）部と、を含み、
前記駆動ボードは、前記電源ボード及びメインボードと電気的に連結され、前記ディスプレイモジュールに電源を供給し、前記ディスプレイモジュールを制御し、
前記ベース部は、配置位置が変更可能なように設けられることを特徴とする、ディスプレイ装置。
【請求項１８】
前記配置位置は、前記ベース部が前記カバー部を下部で支持して、スタンド（ｓｔａｎｄ）の役割を果たすようにするスタンド位置と、前記ベース部が前記カバー部の後面に固定されて、前記ディスプレイ装置が壁に付着されるようにする壁掛け位置とを含むことを特徴とする、請求項１７に記載のディスプレイ装置。
【請求項１９】
前記カバー部とベース部とを連結させる連結部をさらに含み、
前記連結部は、前記カバー部とベース部に対して相対的に回転可能に設けられることを特徴とする、請求項１８に記載のディスプレイ装置。
【請求項２０】
前記配置位置は、前記連結部をフォールディング（ｆｏｌｄｉｎｇ）させることによって、前記スタンド位置から前記壁掛け位置に変更されることを特徴とする、請求項１９に記載のディスプレイ装置。
【請求項２１】
表示画面を含み、該表示画面上に映像を表示するためのディスプレイ本体と、
前記表示画面上で映像を制御し、少なくとも一つのケーブル部を通じて前記ディスプレイ本体に電源を供給するためのベース部と、
前記ディスプレイ本体をベース部と回転可能に連結させ、少なくとも一つのケーブル部のねじれを取り除くためのケーブルガイドを含む連結部と、を含み、
前記ベース部は、互いに異なる位置でディスプレイ装置を支持するように構成されることを特徴とする、ディスプレイ装置。
【請求項２２】
前記ベース部は、表示画面にほぼ垂直な第１位置状態、及び前記表示画面とほぼ平行な第２位置状態で、前記ディスプレイ装置を支持できることを特徴とする、請求項２１に記載のディスプレイ装置。
【請求項２３】
前記ディスプレイ装置が第１位置状態にある間に、前記連結部をカバーするための着脱可能なネックカバーをさらに含むことを特徴とする、請求項２２に記載のディスプレイ装置。
【請求項２４】
前記第２位置状態におけるベース部は、前記表示画面と平行な表面に装着され得ることを特徴とする、請求項２２に記載のディスプレイ装置。
【請求項２５】
前記ベース部が第２位置状態にある間に、前記連結部は表示画面及びベース部とほぼ平行に置かれることを特徴とする、請求項２２に記載のディスプレイ装置。
【請求項２６】
映像を形成するための第１表面を有する表示画面、及び前記第１表面の後方に表示画面の反対側の表面に装着される駆動ボードを含むディスプレイ本体と、
前記ディスプレイ本体に電源を供給するための電源ボード、及び前記ディスプレイ本体を制御するためのメインボードを含むベース部と、
前記ベース部をディスプレイ本体の外部表面と回転可能に連結させるための連結部と、を含み、
前記駆動ボードは、少なくとも一つのケーブル部によって、電源ボード及びメインボードに電気的に連結され、前記ベース部は、互いに異なる位置でディスプレイ装置を支持するように構成されることを特徴とする、ディスプレイ装置。
【請求項２７】
前記連結部は、少なくとも一つのケーブル部のねじれを取り除くためのケーブルガイドをさらに含むことを特徴とする、請求項２６に記載のディスプレイ装置。
【請求項２８】
前記連結部は、ベース部とディスプレイ本体との間の電気的連結をカバーするための少なくとも一つのプレートカバーをさらに含むことを特徴とする、請求項２６に記載のディスプレイ装置。
【発明の詳細な説明】
【技術分野】
【０００１】
本発明は、ディスプレイ装置に係り、特に、ディスプレイ本体の厚さがスリム化されたディスプレイ装置に関する。
【背景技術】
【０００２】
ディスプレイ装置は、画面に映像を表示する装置である。
【０００３】
一般に、ディスプレイ装置は、画像を形成するためのディスプレイモジュールと、ディスプレイモジュールの外観を覆うカバーと、ディスプレイモジュールを下部で支持するスタンドとを含んで構成される。
【０００４】
ディスプレイモジュールは、画像を表示するディスプレイパネルと、ディスプレイパネルを動作させるための各種の回路部品とを含んで構成される。
【０００５】
最近には、ディスプレイ装置が高級化するにつれ、装置の基本的な性能のみならず、ユーザの美的感覚を満たすためのデザインが強調されている。
【０００６】
したがって、その中でも空間活用的な側面を考慮して、ディスプレイ装置をスリム化させることが好ましい。
【発明の概要】
【発明が解決しようとする課題】
【０００７】
本発明の一側面は、画面を表示するディスプレイ本体の厚さがスリム化されたディスプレイ装置を提供するものである。
【課題を解決するための手段】
【０００８】
本発明の一実施例によるディスプレイ装置は、画像を形成するディスプレイモジュールと、前記ディスプレイモジュールの後面に装着される駆動ボードを含むディスプレイ本体と、前記ディスプレイ本体を覆うカバー部と、前記ディスプレイ本体に電源を供給する電源ボード（ｓｗｉｔｃｈｉｎｇ  ｍｏｄｅ  ｐｏｗｅｒ  ｓｕｐｐｌｙ：ＳＭＰＳ）及び前記ディスプレイ本体を制御し、外部で入力される映像信号を供給するためのメインボード（Ｍａｉｎ  Ｂｏａｒｄ）を内蔵するベース（Ｂａｓｅ）部と、前記カバーとベース部とを連結させる連結部と、を含み、前記駆動ボードは、前記電源ボード及びメインボードと電気的に連結され、前記電源ボードは、前記駆動ボードを通じて前記ディスプレイ本体に電源を供給し、前記メインボードは、前記駆動ボードを通じて前記ディスプレイモジュールを制御することを特徴とする。
【０００９】
前記ディスプレイモジュールは、液晶を用いて画像を表す表示パネルと、前記表示パネルに光を照射するバックライトアセンブリ（Ｂａｃｋ  Ｌｉｇｈｔ  Ａｓｓｅｍｂｌｙ）とを含み、前記駆動ボードは、前記電源ボードから電源の供給を受け、前記バックライトアセンブリに供給することができる。
【００１０】
前記表示パネルは、画像を具現する複数個のパネル駆動チップを含み、前記駆動ボードは、前記メインボードから映像信号を受け、前記複数個のパネル駆動チップを制御するタイミングコントローラ（Ｔｉｍｉｎｇ  Ｃｏｎｔｒｏｌｌｅｒ、Ｔ−Ｃｏｎ）を含むことができる。
【００１１】
前記駆動ボードと前記ベース部とを電気的に連結させ、前記連結部の内部を通過するように配置されたケーブル部をさらに含むことができる。
【００１２】
前記ケーブル部は、前記ベース部において前記メインボード及び前記電源ボードと連結するための第１コネクタと、前記駆動ボードと連結するための第２コネクタと、前記第１コネクタと前記第２コネクタとを連結するケーブルとからなり、前記連結部は、板状の連結プレート（ｐｌａｔｅ）をさらに含んでなり、前記ケーブルは、前記連結プレートによって支持されることができる。
【００１３】
前記連結プレートは、前記ケーブルの動きを防止するケーブルガイドをさらに含むことができる。
【００１４】
前記ベース部が前記カバー部の下部で前記カバー部を支持する第１位置状態と、前記ベース部が前記カバー部の後面に固定される第２位置状態とに配置位置が変更可能なように設けられることができる。
【００１５】
前記ディスプレイ装置は、前記第１位置状態を維持するために結合されるネック（ｎｅｃｋ）カバーをさらに含むことができる。
【００１６】
前記ディスプレイ装置は、前記第１位置状態から、前記ネックカバーを分離し、前記連結部をフォールディング（ｆｏｌｄｉｎｇ）して、前記ディスプレイ本体と前記連結部と前記ベースとが平行に位置するように、前記ベース部を前記カバー部の後面に固定させることによって、前記第２位置状態に前記配置位置を変更することができる。
【００１７】
前記ディスプレイ本体には本体ブラケットをさらに含んでなり、前記ベース部にはベースブラケットをさらに含んでなり、前記カバー部と前記連結部が互いに回転可能なように、前記本体ブラケットと前記連結プレートの一端とを回動可能なように連結させる第１ヒンジ部と、前記ベース部と前記連結部が互いに回転可能なように、前記ベースブラケットと前記連結プレートの他端とを回動可能なように連結させる第２ヒンジ部と、を含むことができる。
【００１８】
前記第２コネクタは、前記駆動ボードの後面において結合されることができる。
【００１９】
前記ベース部は、前記メインボードから受信される音信号を出力するためのスピーカーを少なくとも一つ以上さらに含むことができる。
【００２０】
前記連結部は、前記第１ヒンジ部、第２ヒンジ部及び連結プレートの前面を覆う前面プレートカバーと、前記第１ヒンジ部、第２ヒンジ部及び連結プレートの後面を覆う背面プレートカバーとを含むことができる。
【００２１】
前記ネックカバーは、前記連結部、カバー部及びベース部の一部を覆うことができる。
【００２２】
前記ベース部は、前記第２位置状態で、ねじ結合によって前記カバー部の後面に固定されることができる。
【００２３】
前記電源ボードは、外部電源ケーブルが連結される電源端子部をさらに含んでなり、前記メインボードは、外部信号源と連結される複数の入力信号端子部をさらに含んでなることができる。
【００２４】
また、本発明の他の実施例によるディスプレイ装置は、画像を形成するディスプレイモジュールと、前記ディスプレイモジュールの後面に装着される駆動ボードを含むディスプレイ本体と、前記ディスプレイ本体を覆うカバー部と、前記ディスプレイ本体に電源を供給する電源ボード（ｓｗｉｔｃｈｉｎｇ  ｍｏｄｅ  ｐｏｗｅｒ  ｓｕｐｐｌｙ：ＳＭＰＳ）及び前記ディスプレイ本体を制御するメインボード（Ｍａｉｎ  Ｂｏａｒｄ）を含み、前記カバー部の外部に配置されるベース（ｂａｓｅ）部と、を含み、前記駆動ボードは、前記電源ボード及びメインボードと電気的に連結され、前記ディスプレイモジュールに電源を供給し、前記ディスプレイモジュールを制御し、前記ベース部は、配置位置が変更可能なように設けられることを特徴とする。
【００２５】
前記配置位置は、前記ベース部が前記カバー部を下部で支持して、スタンド（ｓｔａｎｄ）の役割を果たすようにするスタンド位置と、前記ベース部が前記カバー部の後面に固定されて、前記ディスプレイ装置が壁に付着されるようにする壁掛け位置とを含むことができる。
【００２６】
前記カバー部とベース部とを連結させる連結部をさらに含み、前記連結部は、前記カバー部とベース部に対して相対的に回転可能に設けることができる。
【００２７】
前記配置位置は、前記連結部をフォールディング（ｆｏｌｄｉｎｇ）させることによって、前記スタンド位置から前記壁掛け位置に変更されることができる。
【００２８】
本発明のさらに他の実施例によるディスプレイ装置は、表示画面を含み、該表示画面上に映像を表示するためのディスプレイ本体と、前記表示画面上で映像を制御し、少なくとも一つのケーブル部を通じて前記ディスプレイ本体に電源を供給するためのベース部と、前記ディスプレイ本体をベース部と回転可能に連結させ、少なくとも一つのケーブル部のねじれを取り除くためのケーブルガイドを含む連結部と、を含み、前記ベース部は、互いに異なる位置でディスプレイ装置を支持するように構成されることを特徴とする。
【００２９】
本発明のさらに他の実施例によるディスプレイ装置は、映像を形成するための第１表面を有する表示画面、及び前記第１表面の後方に表示画面の反対側の表面に装着される駆動ボードを含むディスプレイ本体と、前記ディスプレイ本体に電源を供給するための電源ボード、及び前記ディスプレイ本体を制御するためのメインボードを含むベース部と、前記ベース部をディスプレイ本体の外部表面と回転可能に連結させるための連結部とを含み、前記駆動ボードは、
電源ボード及びメインボードに電気的に連結され、前記ベース部は、互いに異なる位置でディスプレイ装置を支持するように構成されることを特徴とする。
【発明の効果】
【００３０】
以上で説明した本発明の一実施例によるディスプレイ装置は、画像を表示するディスプレイ本体に配置される部品を最小化して、ディスプレイ部の厚さをスリム化することができる。
【００３１】
また、厚さが薄くなり、外観が美麗なディスプレイ装置を提供できるようになる。
【図面の簡単な説明】
【００３２】
【図１】本発明の一実施例によるディスプレイ装置の後面外観斜視図である。
【図２】図１においてネックカバーを分解させた分解斜視図である。
【図３】図２の連結部の拡大分解斜視図である。
【図４】ベース部の配置位置が第１位置状態である場合を示すディスプレイ装置の側面図である。
【図５】図４の連結部の拡大断面図である。
【図６】ベース部の配置位置が第１位置状態から第２位置状態に変更される過程を示す側面図である。
【図７】ベース部の配置位置が第２位置状態である場合を示すディスプレイ装置の背面外観斜視図である。
【図８】図７の連結部の拡大断面図である。
【図９】ケーブル部の第２コネクタと駆動ボードとの間の第１連結要素を示す。
【図１０】表示パネル上の複数のパネル駆動チップと光学板を連結する少なくとも一つの第２連結要素を示す。
【発明を実施するための形態】
【００３３】
以下では、本発明の一実施例によるディスプレイ装置を添付の図面を参照して詳細に説明する。本明細書全体において同一の構成要素については同一の図面符号を使用して説明する。以下、本実施例は、図面を参照して、一般的な本発明の概念を説明するためになされている。
【００３４】
図１は、本発明の一実施例によるディスプレイ装置の内部構成を示す外観斜視図で、図２は、図１においてネックカバーを分解させた分解斜視図で、図３は、図２の連結部の拡大分解斜視図である。
【００３５】
図１乃至図３に示されたように、ディスプレイ装置１は、ディスプレイ本体１００と、ディスプレイ本体１００を前後で覆うカバー部２００と、電源ボード（ｓｗｉｔｃｈｉｎｇ  ｍｏｄｅ  ｐｏｗｅｒ  ｓｕｐｐｌｙ：ＳＭＰＳ）３５０及びメインボード（Ｍａｉｎ  Ｂｏａｒｄ）３６０を内部に含むベース（Ｂａｓｅ）部３００と、カバー部２００とベース部３００とを連結させる連結部４００とを含むことができる。このようなディスプレイ装置１は、例えば、テレビ（ｔｅｌｅｖｉｓｉｏｎ）、モニタ（ｍｏｎｉｔｏｒ）、ビデオ、ディスプレイ、エンターテイメントシステム、携帯用端末機｛けいたい がた｝などの用途に用いられることができる。前記ディスプレイ本体１００は、例えば、ベース部３００に対して互いに異なる位置で、少なくとも一方向に移動することができ、またはユーザ（ｖｉｅｗｅｒ）に一つ以上の視野角を提供することができる。
【００３６】
ディスプレイ本体１００は、画像を形成するディスプレイモジュール１０３と、ディスプレイモジュール１０３の後面に装着される駆動ボード１３０とを含むことができる。
【００３７】
ディスプレイモジュール１０３は、画像を表す表示パネル１０５と、表示パネル１０５に光を照射するバックライトアセンブリ１１５と、バックライトアセンブリ１１５から照射された光を均一にする光学板１１０とを含むことができる。
【００３８】
表示パネル１０５は、電気信号によって配列される液晶の特性を用いて画像を表現することができる。表示パネル１０５は、その縁に画像を具現する複数個のパネル駆動チップ（ｃｈｉｐ）１０７を含むことができる。パネル駆動チップ１０７は、表示パネル１０５に、例えば、文字やイメージを具現する役割を果たすことができ、駆動ボード１３０のタイミングコントローラ（Ｔｉｍｉｎｇ  Ｃｏｎｔｒｏｌｌｒｔ、Ｔ−Ｃｏｎ）から映像信号を受けて、表示パネル１０５に送ることができる。
【００３９】
図１０には、光学板１１０上の複数個のパネル駆動チップ１０７と少なくとも一つの第２連結要素との間の通信が示されている。
【００４０】
一方、自発光できない受光型表示パネル１０５は、映像を外部に表示できるように、表示パネル１０５に光を照射するバックライトアセンブリ１１５が必要である。
【００４１】
バックライトアセンブリ１１５は、シャーシ１１７と、シャーシ１１７の内側に設けられる反射板（図示せず）と、光を発散する光源（図示せず）とを含むことができる。シャーシ１１７は、バックライトアセンブリ１１５の全体的な外形を形成することができる。反射板は、光源から発散された光を表示パネル１０５側に反射させることができ、よって、光源の効率を向上させることができる。
【００４２】
光源は、シャーシ１１７の反射板の上に設けられることができる。光源は、光を発散して、受光型表示パネル１０５に表現された画像をユーザが認識可能なようにする。光源は、複数個が一定の間隔で並んで設けられることができる。光源として、冷陰極蛍光ランプ（ＣＣＦＬ、Ｃｏｌｄ  Ｃａｔｈｏｄ  Ｆｌｕｏｒｅｓｃｅｎｔ  Ｌａｍｐ）または発光ダイオード（ＬＥＤ、Ｌｉｇｈｔ  Ｅｍｉｔｔｉｎｇ  Ｄｉｏｄｅ）を用いてもよい。
【００４３】
また、光源の設置位置は、表示パネル１０５に向けて直接的に光を照射する直下型（Ｄｉｒｒｅｃｔ  Ｌｉｇｈｔ  Ｔｙｐｅ）であってもよく、導光板（Ｌｉｇｈｔ  Ｇｕｉｄｅ  Ｐａｎｅｌ）の側面に設置されて、光源から発生した光が導光板に沿って屈折し、拡散されて、表示パネル側に発散されるエッジ型（Ｅｄｇｅ  Ｌｉｇｈｔ  Ｔｙｐｅ）であってもよいのは勿論である。
【００４４】
光学板１１０は、バックライトアセンブリ１１５と表示パネル１０５との間に設けることができ、光源から発散された光が均一に表示パネル１０５に照射されるようにする。光学板１１０には、表示パネル１０５と垂直になるように光路を変更させる集光シートと、光源から発散された光を拡散させる拡散板と、光が屈折して散光されるようにする屈折板とが設けられることができる。
【００４５】
ディスプレイモジュール１０３の後面には駆動ボード１３０が装着されうる。駆動ボード１３０は、ベース部３００の電源ボード３５０及びメインボード３６０と電気的に連結されることができ、ディスプレイモジュール１０３に電源を供給し、ディスプレイモジュール１０３を制御する役割を果たすことができる。駆動ボード１３０に対してはベース部３００の電源ボード３５０及びメインボード３６０と共に後述する。
【００４６】
カバー部２００は、ディスプレイ本体１００の前面縁を覆う前面カバー２２０と、ディスプレイ本体１００の後面を覆う後面カバー２４０とを含むことができる。前面カバー２２０及び後面カバー２４０は、ディスプレイ装置１の外観の一部を形成し、ユーザの審美感が発生するように、一定のデザイン及びカラーが付加されることができる。
【００４７】
図２に示されたように、前記カバー部２００は、長さ（２００Ｌ）及び幅（２００Ｗ）を有する。図２及び図４に示されたように、前記ベース部３００は、長さ（３００Ｌ）及び幅（３００Ｗ）を有する。
【００４８】
ベース部３００は、板状で形成することができ、ディスプレイモジュール１０３が画像を表示する動作を行うように、前記ディスプレイ本体１００を作動させるための主要回路部品を含むことができる。ベース部３００は、ディスプレイ装置１を駆動させる駆動部の役割を果たすために、駆動ボード１３０と相互作用することができる。
【００４９】
ベース部３００は内部にディスプレイ装置１に電源供給のための電源ボード３５０と、ディスプレイ装置１を制御するメインボード３６０と、声を発生させるスピーカー３８０とを含むことができる。
【００５０】
電源ボード３５０は、ディスプレイ装置１の動作に必要な電源を全体的に供給することができ、ベース部３００の内部の一側に配置されることができる。電源ボード３５０には外部電源ケーブルが連結される電源端子部（図示せず）が備えられる。
【００５１】
メインボード３６０は、ディスプレイ装置１を全般的に制御することができ、各部品を制御する制御信号を送受信することができる。前記電源ボード３５０が配置された側以外の側に前記メインボード３６０が配置されることができる。メインボード３６０には、各種の外部信号源との連結のための入力信号端子部３７０が設けられることができる。入力信号端子部３７０は、外部機器とデータ通信のためのＵＳＢ端子、ＨＤＭＩ端子などの各種連結端子を複数個含むことができる。前記ベース部３００は、メモリ装置とプロセッサの他に、信号を制御するための回路を含むことができる。例えば、前記ベース部３００は、ディスプレイ装置１の各部品を制御するために、データ送信を制御するためのマイクロプロセッサを含むことができる。
【００５２】
スピーカー３８０は、メインボード３６０から音信号を受信して、声を発生させる役割を果たすことができ、ベース部３００の前面内部に配置されることができる。
【００５３】
カバー部２００とベース部３００とは連結部４００によって連結される。
【００５４】
連結部４００は、板状の連結プレート（ｐｌａｔｅ）４２０と、カバー部２００と連結プレート４２０が互いに回転可能なように連結させる第１ヒンジ部４４０と、ベース部３００と連結プレート４２０が互いに回転可能なように連結させる第２ヒンジ部４６０とを含むことができる。
【００５５】
連結プレート４２０は、カバー部２００とベース部３００との間の動きを媒介する役割をすることができる。
【００５６】
第１ヒンジ部４４０は、カバー部２００と連結プレート４２０との間を結合することができ、カバー部２００の背面に装着される本体ブラケット４４２ａ、４４２ｂと連結プレート４２０とを第１ヒンジ軸４４５ａ、４４５ｂによって連結させて、第１ヒンジ軸４４５ａ、４４５ｂを中心に回転が可能なようにする。
【００５７】
第２ヒンジ部４６０は、ベース部３００と連結プレート４２０との間を結合させることができ、ベース部３００の内部に装着されるベースブラケット４６２ａ、４６２ｂと連結プレート４２０とを第２ヒンジ軸４６５ａ、４６５ｂによって連結させて、第２ヒンジ軸４６５ａ、４６５ｂを中心に回転が可能なようにする。
【００５８】
連結部４００は、第１ヒンジ部４４０、第２ヒンジ部４６０及び連結プレート４２０を覆うプレートカバー４８０、４９０を含むことができる。
【００５９】
プレートカバー４８０、４９０は、第１ヒンジ部４４０、第２ヒンジ部４６０及び連結プレート４２０の前面を覆う前面プレートカバー４８０と、第１ヒンジ部４４０、第２ヒンジ部４６０及び連結プレート４２０の後面を覆う背面プレートカバー４９０とを含むことができる。
【００６０】
前面プレートカバー４８０及び背面プレートカバー４９０は、その間に配置された連結プレート４２０を貫通して互いに結合されることができる。
【００６１】
電源ボード３５０、メインボード３６０及び駆動ボード１３０は、ケーブル部５００によって電気的に連結されることができる。
【００６２】
カバー部２００及びベース部３００は、構造的に連結部４００によって連結できる反面、ディスプレイモジュール１０３とベース部３００の内部の電源ボード３５０及びメインボード３６０とは、駆動ボード１３０を通じて電気的に連結できる。
【００６３】
ケーブル部５００は、ケーブル５１０及びコネクタ５２０、５３０、５４０を含むことができる。
【００６４】
前記ベース部３００内のメインボード３６０及び電源ボード３５０には第１コネクタ５３０、５４０が挿入されることができ、駆動ボード１３０には第２コネクタ５２０が挿入されることができ、コネクタ５２０、５３０、５４０の相互間をケーブル５１０が連結することができる。駆動ボード１３０、電源ボード３５０及びメインボード３６０の相互間は、図３に示されたように、一つのケーブル５１０によって連結することもできるが、複数個のケーブルを用いて駆動ボード１３０と電源ボード３５０、電源ボード３５０とメインボード３６０、メインボード３６０と駆動ボード１３０を別個に連結することもできる。
【００６５】
図９は、前記ケーブル部５００の第２コネクタ５２０と前記駆動ボード１３０の第１連結要素１３０ａとの間の連結を示す。
【００６６】
ケーブル部５００のケーブル５１０は、連結プレート４２０に設けられたケーブルガイド４２３によって動きが防止されることができる。また、ケーブル５１０は、連結プレート４２０によって支持されることができる。後述するが、ベース部３００の配置位置は変更可能であり、それによって連結部４００もまたフォールディングされるので、ケーブル部５００が動いたり、または連結が切れる可能性があって、これを防止するために、連結プレート４２０の上面にケーブル５００の縁を覆うことができるようにケーブルガイド４２３を設けることができる。
【００６７】
また、駆動ボード１３０には、第２コネクタ５２０が駆動ボード１３０の下側ではない後面で挿入されることができる。よって、連結部４００及びベース部３００が配置位置を変更することによって、駆動ボード１３０とケーブル部５００との連結が切れるのを防止することができる。
【００６８】
メインボード３６０は、駆動ボード１３０には各種映像情報及びデータを送信することができ、電源ボード３５０にはディスプレイ装置１の電源供給を制御するための制御信号を送信することができる。
【００６９】
駆動ボード１３０は、タイミングコントローラ（図示せず）を含み、タイミングコントローラは、メインボード３６０から受けた映像情報を複数個のパネル駆動チップ１０７に送ることができ、パネル駆動チップ１０７は、該映像情報を受けて、表示パネル１０５に文字及びイメージを具現できるようになる。タイミングコントローラは、表示パネル１０５のパネル駆動チップ１０７に伝送されるデータの量を調節し、画質を改善させる役割を果たすことができる。パネル駆動チップ１０７への映像情報の伝達は、駆動ボード１３０の下側に配置されたチップ端子１３５を通じて行われることができる。
【００７０】
電源ボード３５０は、駆動ボード１３０へはメインボード３６０の制御信号によって電源を供給することができる。駆動ボード１３０は、供給された電源をディスプレイモジュール１０３に伝達して、バックライトアセンブリ１１５の光源に電源を供給することができ、パネル駆動チップ１０７及びその他の各部品の電源として用いることができる。
【００７１】
電源ボード３５０及びメインボード３６０がベース部３００に配置位置が変更されながら、駆動ボード１３０は、従来のタイミングコントローラの機能だけでなく、ディスプレイモジュール１０３に電源を供給する役割までも兼ねることができる。
【００７２】
ディスプレイ装置１は、ベース部３００の配置位置がカバー部２００の下部でカバー部２００を支持する第１位置状態を維持することができ、この場合、このような第１位置状態を維持させるように、着脱可能なネックカバー６００を含むことになる。(図１、図２参照)
ネックカバー６００は、連結部４００、カバー部２００及びベース部３００の一部３１０を覆い、第１位置状態を維持させる役割を果たすことができる。ネックカバー６００が、カバー部２００、連結部４００及びベース部３００の配置状態を維持させることができる。
【００７３】
以下では、本発明の一実施例によってベース部の配置位置及びその変更過程について説明する。
【００７４】
図４は、ベース部の配置位置が第１位置状態である場合を示すディスプレイ装置の側面図で、図５は、図４の連結部の拡大断面図で、図６は、ベース部の配置位置が第１位置状態から第２位置状態に変更される過程を示す側面図であって、前記ベース部の回転角（θ）がまた示されており、図７は、ベース部の配置位置が第２位置状態である場合を示すディスプレイ装置の背面外観斜視図で、図８は、図７の連結部の拡大断面図である。
【００７５】
図４乃至図５に示されたように、ベース部３００は、第１位置状態において、カバー部２００の下部で連結部４００を通じてカバー部２００を支持することができる。そして、ネックカバー６００がこのような支持状態を維持させることができる。
【００７６】
ネックカバー６００の上部は上側固定ねじ６１０によってカバー部２００の背面に結合されることができ、ネックカバー６００の下部は下側固定ねじ６２０によってベース部３００の上面に結合されることができる。より具体的に、下側固定ねじ６２０はベース部３００の下側固定ねじ取付け部３２０に結合される。
【００７７】
ネックカバー６００は、連結部４００、カバー部２００及びベース部３００の一部３１０を覆うことができ、ディスプレイ装置１の後面の外観を飾る役割も果たすことができる。
【００７８】
このような第１位置状態は、ベース部３００がディスプレイ本体１００を支持するスタンドの役割を果たすことができるようにするスタンド位置になってもよい。
【００７９】
ベース部３００の位置は、図６に示された変更過程を経て、第１位置状態から図７乃至図８に示された第２位置状態に変更されることができる。
【００８０】
まず、ネックカバー６００は、上側固定ねじ６１０及び下側固定ねじ６２０を分離させることによって、ディスプレイ装置１から分離されることができる。
【００８１】
そして、連結部４００をカバー部２００の後面方向に加圧して回転させ、ベース部３００は、連結部４００の回転方向の反対方向に回転させて、カバー部２００の後面に密着されるようにすることができる。すなわち、連結部６００をフォールディングさせて、ベース部３００をカバー部２００に密着させることができる。
【００８２】
このとき、第１ヒンジ部４４０及び第２ヒンジ部４６０によって、連結部４００とベース部３００の回転及びフォールディングが円滑になされうる。
【００８３】
ベース部３００をカバー部２００の後面に密着させた状態で、ねじ７１０ａ、７１０ｂを用いてベース部３００をカバー部２００に固定させることができる。より具体的に、ねじ７１０ａ、７１０ｂをホール３１０ａ、３１０ｂを通じて挿入することによって、カバー部２００に固定させることができる。
【００８４】
したがって、ベース部３００がカバー部２００の後面に固定される第２位置状態となることができる。第２位置状態でベース部３００の下面は壁に付着され、ディスプレイ装置１は壁に固定させることができるようになるものである。また、ワイヤー（図示せず）を用いてディスプレイ装置１を壁に固定させることもできる。ベース部３００の下面にワイヤーを固定するワイヤー固定部を設けることができ、ワイヤーをワイヤー固定部に結合させて、壁面に形成された掛け部に掛けて壁面に付着できるようになる。ディスプレイ装置１を壁に付着させる技術に対するより詳細な事項は従来の技術であるから説明を省略する。
【００８５】
このような第２位置状態で、ディスプレイ装置１はベース部３００を通じて壁に付着することができる。このとき、ベース部３００の配置位置は壁掛け位置となる。
【００８６】
ディスプレイ本体１００には画像を表示するための最小限の部品のみを配置することができ、残りの主要部品である電源ボード３５０、メインボード３６０及びスピーカー３８０をベース部３００に配置することによって、ディスプレイ本体１００の厚さのスリム化が可能になる。
【００８７】
また、ディスプレイ本体１００とベース部３００との間に連結部４００を設けることができ、第１位置状態では、ベース部３００がディスプレイ本体１００を支持するスタンドの役割をすることができ、第２位置状態では、ベース部３００がディスプレイ装置１を壁に固定させる媒介の役割をすることもできる。
【００８８】
さらに、図７に示されたように、前記ディスプレイ装置を容易に冷却させるために、前記カバー部２００の後面カバー２４０に通風孔２５５を設けることができる。
【００８９】
以上では特定の実施例について図示し説明した。しかし、上記の実施例にのみ限定されず、本発明の属する技術分野における通常の知識を有する者であれば、以下の特許請求の範囲に記載された発明の技術的思想及び精神を逸脱することなく多様に変更実施できるであろう。
【符号の説明】
【００９０】
１        ディスプレイ装置
１００    ディスプレイ本体
２００    カバー部
３００    ベース部
４００    連結部
４４０    第１ヒンジ部
４６０    第２ヒンジ部
５００    ケーブル部
６００    ネックカバー
【図１】
2013505660.tif 000003
【図２】
2013505660.tif 000004
【図３】
2013505660.tif 000005
【図４】
2013505660.tif 000006
【図５】
2013505660.tif 000007
【図６】
2013505660.tif 000008
【図７】
2013505660.tif 000009
【図８】
2013505660.tif 000010
【図９】
2013505660.tif 000011
【図１０】
2013505660.tif 000012
【国際調査報告】
2013505660.tif 000013
2013505660.tif 000014